(57)【要約】【課題】  建物内の複数の面が互いに接する隅部におけるシートの貼着部分を見栄え良く仕上げると共に、シート貼着作業を簡素化すること。【解決手段】  建物内面を表装施工するに当たり、建物内の複数の面が互いに接する出隅部や入隅部を残して前記各面に表装シートを貼着した後、前記各隅部の外形に対応させて一体成形した隅部表装用の折曲加工済立体シートの各縁辺を前記貼着済表装シートの切欠縁辺に対向させて立体シートを前記隅部に貼着し、これら貼着済立体シートと表装シートとの縁辺間隙内を目地埋め材で面一または、ほぼ面一に目地埋めした。  なお、前記立体シートを出隅部や入隅部に貼着した後、この貼着済立体シートの各縁辺に表装シートの切欠縁辺を対向させてこの表装シートを前記複数の面に貼着し、これら貼着済表装シートと立体シートとの縁辺間隙内を目地埋め材で目地埋めしてもよい。【選択図】      図１
2005155059.tif 000002
【特許請求の範囲】
【請求項１】
建物内面を表装施工するに当たり、建物内の複数の面が互いに接する出隅部を残して前記各面に表装シートを貼着した後、前記出隅部の外形に対応させて一体成形した出隅部表装用の折曲加工済立体シートの各縁辺を前記貼着済表装シートの切欠縁辺に対向させて立体シートを前記出隅部に貼着し、これら貼着済立体シートと表装シートとの縁辺間隙内を目地埋め材で目地埋めすること特徴とした建物内面の表装施工方法。
【請求項２】
建物内面を表装施工するに当たり、建物内の複数の面が互いに接する入隅部を残して前記各面に表装シートを貼着した後、前記入隅部の外形に対応させて一体成形した入隅部表装用の折曲加工済立体シートの各縁辺を前記貼着済表装シートの切欠縁辺に対向させて立体シートを前記入隅部に貼着し、これら貼着済立体シートと表装シートとの縁辺間隙内を目地埋め材で目地埋めすること特徴とした建物内面の表装施工方法。
【請求項３】
建物内面を表装施工するに当たり、建物内の複数の面が互いに接する出隅部にその外形に対応させて一体成形した出隅部表装用の折曲加工済立体シートを先に貼着した後、この貼着済立体シートの各縁辺に表装シートの切欠縁辺を対向させてこの表装シートを前記複数の面に貼着し、これら貼着済表装シートと立体シートとの縁辺間隙内を目地埋め材で目地埋めすること特徴とした建物内面の表装施工方法。
【請求項４】
建物内面を表装施工するに当たり、建物内の複数の面が互いに接する入隅部にその外形に対応させて一体成形した入隅部表装用の折曲加工済立体シートを先に貼着した後、この貼着済立体シートの各縁辺に表装シートの切欠縁辺を対向させてこの表装シートを前記複数の面に貼着し、これら貼着済表装シートと立体シートとの縁辺間隙内を目地埋め材で目地埋めすること特徴とした建物内面の表装施工方法。
【請求項５】
前記目地埋め材としてホットメルト材を用い、これを前記縁辺間隙内に加熱軟化させながら充填し、冷却固化させることで縁辺間隙内を目地埋めすることを特徴とした請求項１から請求項４までに記載の建物内面の表装施工方法。
【請求項６】
前記目地埋め材としてホットメルト棒材を用い、これを前記縁辺間隙内に配置した後加熱軟化し、冷却固化させることで縁辺間隙内を目地埋めすること特徴とした請求項１から請求項４までに記載の建物内面の表装施工方法。
【請求項７】
前記目地埋め材として流動性が少ない溶剤系接着材用い、この接着材を前記縁辺間隙内に充填し、乾燥固化させることで縁辺間隙内を目地埋めすること特徴とした請求項１から請求項４までに記載の建物内面の表装施工方法。
【請求項８】
前記目地埋め材として表装シートや前記各立体シートと同色同材の細長い目地埋め材を用い、この目地埋め材を前記縁辺間隙内に接着固定してこの縁辺間隙内を目地埋めすること特徴とした請求項１から請求項４までに記載の建物内面の表装施工方法。
【請求項９】
前記表装シートと前記各立体シートとをそれぞれ同色同材とした請求項１から請求項８までに記載の建物内面の表装施工方法。
【請求項１０】
前記出隅部や入隅部を含めてコンクリート打ち放し施工済内面に表装シートを貼着施工すること特徴とした請求項１から請求項９までに記載の建物内面の表装施工方法。
【発明の詳細な説明】
【技術分野】
【０００１】
本発明は、建物内面の表装施工方法に係り、特に建物内の複数の面が互いに接する隅部におけるシート貼着部分を見栄え良く仕上げると共に、シート貼着作業を簡素化できた建物内面の表装施工方法に関する。
【背景技術】
【０００２】
建物内の複数の面が互いに接する出隅部や入隅部におけるテープ貼着式の気密構造としては、例えば下記の特許文献１に記載のものが周知である。
この従来例は、床上に配設した内壁枠と添柱による出隅部や入隅部における気密構造であって、建物内面の表装施工方法ではなく、特許文献１に記載の従来例は、添柱と密着する面、および床と密着する面を有し、添柱と床との接続部分を密封する気密部材を前記隅部に密設し、気密接着テープによる帯状気密部材で添柱と内壁枠との接続部分および内壁枠と床との接続部分を密封すると共に、上記気密接着テープを前記気密部材の各面に重合密着した建物内面の隅部における気密構造である。
【特許文献１】特開２００１−２０７５５９号公報
【発明の開示】
【発明が解決しようとする課題】
【０００３】
前記特許文献１の従来例は、添柱と床との接続部分を密封する気密部材を前記隅部に密設し、気密接着テープで添柱と内壁枠との接続部分および内壁枠と床との接続部分を密封すると共に、上記気密接着テープを前記気密部材の各面に重合接着した気密構造だから、この気密構造の施工後の外見は、建物内の複数の面が互いに接する隅部付近を含めて建物内面の二面が互いに接する隅部付近には、上記気密部材の縁辺の一部が露出しているし、気密接着テープの重合部分やテープ自体が縦横に走って露見接着したままの状態だから、見栄えが著しく悪い極めてお粗末な外見体裁であるため、上記気密構造施工後の各面を含めて気密部材と気密接着テープとの各表面を覆って後から別途に建物内面を表装仕上げ施工する必要があるという本質的、かつ大きな問題点が有る。
【０００４】
なお、建物内面における図７のような床面１Ａや二つの内壁面１Ｂなどの建物内の三面が互いに接する出隅部２を含めて建物の内壁に表装シートを貼着施工する方法として、従来は、出隅部２を残して前記各面に表装シート３を貼着した後、このシート３と同色同材で同図７のような出隅部表装用平坦シート片９をその折線９Ａ・切り目９Ｂから直角に折曲して図８のように出隅部２に仮貼着し、折曲済シート片９の各縁辺９Ｃが前記貼着済表装シート３の切欠縁辺３Ａに密接するように折曲済シート片９の各縁辺９Ｃを精確に寸法出しカットした後、平坦シート片９を出隅部２に図８のように本付け貼着施工していたので、上記折曲済シート片９の各縁辺９Ｃを前記貼着済表装シート３の切欠縁辺３Ａに精確に密接させて貼着するための寸法寸法出しカット作業を初めとし、平坦シート片９の出隅部２に対する折曲貼着施工は、著しく面倒かつ厄介であり、建物内面の表装施工の作業性を大きく阻害していたし、上記貼着済シート片の折曲部分９Ｄの平坦化復元力でシート折曲部分９Ｄの貼着剥離や浮陸も生じ易かったという本質的かつ、大きな問題点が有る。
【０００５】
さらに、建物内面における図７のような床面１Ａや二つの内壁面１Ｂなどの三面が互いに接する入隅部７を含めて上記三面に表装シートを貼着施工する方法として、従来は、前記入隅部７に対応させた斜めの切欠縁辺３Ｂを有する表装シート３を縦横に折り曲げて図８のように貼着施工していた。
したがって、この従来例による建物内面の表装施工方法では、斜めの切欠縁辺３Ｂを上記入隅部７に対応して精確に斜め角度出し・斜め寸法出しカットして貼着する作業が著しく面倒かつ厄介で困難を極め、建物内面の表装施工の作業性を大きく阻害していたし、上記シート折曲部分の平坦化復元力でシート折曲角部の貼着剥離や浮陸も生じるという本質的かつ、大きな問題点が有る。
なお、この出願において、前記出隅部と入隅部とは、それぞれ建物床面や天井面の中央に向かい突出している建物内の隅部を出隅部と称し、これとは逆に建物床面や天井面の縁辺方向に入り込んでいる建物内の隅部を入隅部と称する。
【０００６】
この発明は、前記各従来例の問題点を除去するために、建物内の複数の面が互いに接する出隅部や入隅部の外形に対応させて一体成形した隅部表装用の折曲加工済立体シートを用いることで、建物内面の出隅部や入隅部におけるシート貼着部分を見栄え良く仕上げると共に、建物内面の表装施工の簡素化を実現することを目的とする。
【課題を解決するための手段】
【０００７】
上記した本発明の目的は、建物内の複数の面が互いに接する出隅部や入隅部を残して前記各面に表装シートを貼着した後、前記出隅部や入隅部の外形に対応させて一体成形した隅部表装用の折曲加工済立体シートの各縁辺を前記貼着済表装シートの切欠縁辺に対向させて立体シートを前記出隅部や入隅部に貼着し、これら貼着済立体シートと表装シートとの縁辺間隙内を目地埋め材で面一または、ほぼ面一に目地埋めすることで達成できた。
【０００８】
なお、前記立体シートを先に出隅部や入隅部に貼着した後、この立体シートの各縁辺に表装シートの切欠縁辺を対向させてこの表装シートを前記複数の面に貼着し、これら貼着済表装シートと立体シートとの縁辺間隙内を目地埋め材で目地埋めしてもよい。
【発明の効果】
【０００９】
本発明は、以上のような手段を採用したので、以下に記載の効果を奏する。
この発明の請求項１および請求項２の各発明によれば、建物内面を表装施工するに当たり、前記出隅部や入隅部の外形に対応させて一体成形した隅部表装用の折曲加工済立体シートの各縁辺を前記貼着済表装シートの切欠縁辺に対向させて立体シートを前記出隅部や入隅部貼着し、これら貼着済立体シートと表装シートとの縁辺間隙内を目地埋め材で面一または、ほぼ面一に目地埋めすることで、体裁の良い建物内面の表装施工ができ、前記各従来例において必要であった上記出隅部や入隅部における精密で面倒なシート縁辺の寸法出し切断作業や角度出し切断作業とか、シートの複雑な折曲貼着作業が本発明では一切不要となったので、前記出隅部や入隅部を含めて建物内面の表装施工の簡素化を大幅に促進できた。
【００１０】
この発明の請求項３および請求項４の各発明によれば、前記出隅部や入隅部にその外形に対応させて一体成形した隅部表装用の折曲加工済立体シートを先に貼着した後、この貼着済立体シートの各縁辺に表装シートの切欠縁辺を対向させてこの表装シートを前記複数の面に貼着し、これら貼着済表装シートと立体シートとの縁辺間隙内を目地埋め材で面一または、ほぼ面一に目地埋めすることでも、体裁の良い建物内面の表装施工ができ、前記各従来例において必要であった上記出隅部や入隅部における精密で面倒なシート縁辺の寸法出し切断作業や角度出し切断作業とか、シートの複雑な折曲貼着作業が本発明では一切不要となったので、前記出隅部や入隅部を含めて建物内面の表装施工の簡素化を大幅に促進できた。
【００１１】
特に前記請求項１から請求項４までの各発明によれば、貼着済の隅部表装用の折曲加工済立体シートと表装シートとの各縁辺間隙に部分的な間隙寸法ムラが生じたとしても、この縁辺間隙内を目地埋め材で面一または、ほぼ面一に目地埋めすることで、上記縁辺間隙の部分的な寸法ムラは目立たなくなり、外見体裁の良い建物内面の表装施工ができるから、一種類の折曲加工済立体シートを多少の寸法差や角度差が有る多数の出隅部や入隅部に互換性良く共通使用できると共に、表装シートと立体シートとの縁辺間隙出しのための各シートの縁辺カット作業をラフに作業性良く実行でき、しかも、上記出隅部や入隅部における折曲部の仕上がり体裁は、これら各隅部に貼着した折曲加工済立体シートが、予め美しい仕上がり折曲体裁に一体折曲成形固化してあるから、見栄え良く安定で変形せず、折曲部分の貼着剥離や浮陸を確実に防止でき、建物内面の表装状態を長期に亘り美しく確保できたという優れた効果が有る。
【００１２】
この発明における請求項５と請求項６の各発明では、前記諸効果に加えて、前記目地埋め材としてホットメルト材を用い、これを前記縁辺間隙内に加熱軟化させながら充填し、冷却固化させることで縁辺間隙内を面一または、ほぼ面一に目地埋めして仕上げたり、ホットメルト棒材を前記縁辺間隙内に配置した後加熱軟化し、冷却固化させることで縁辺間隙内を面一または、ほぼ面一に目地埋めして仕上げたので、出隅部や入隅部を含めて建物内面の表装施工の簡素化を一層促進できたという効果を付加でき、また、この発明における請求項７の発明では、前記目地埋め材として流動性が少ない溶剤系接着材用い、この接着材を前記縁辺間隙内に充填し、乾燥固化させることで縁辺間隙内を面一または、ほぼ面一に目地埋めして仕上げたので、出隅部や入隅部を含めて建物内面の表装施工の簡素化をより一層促進できたという効果を付加できた。
【００１３】
この発明における請求項８の発明では、前記目地埋め材として表装シートや立体シートと同色同材の細長い目地埋め材を用い、この目地埋め材を前記縁辺間隙内内に接着固定して面一または、ほぼ面一に仕上げたり、請求項９の発明のように前記表装シートと立体シートとを同色同材とすれば、出隅部や入隅部を含めて建物内面の表装施工後の仕上がり体裁を一層、見栄え良く仕上げることができ、さらに請求項１０の発明のように前記出隅部や入隅部を含めてコンクリート打ち放し施工済の建物内面面に表装シートを貼着施工することで、建物内面をより一層感触良く表装仕上げできるという効果を付加できた。
【発明を実施するための最良の形態】
【００１４】
本発明を実施するための最良の形態例としては、建物内面を表装施工するに当たり、図１のようにコンクリート打ち放し施工済の建物内面における床面１Ａや二つの内壁面１Ｂなどの三面が互いに突出して接する出隅部２の外形に対応して切欠縁辺３Ａを予め形成した塩化ビニール薄板などの柔軟性表装シート３を上記出隅部２を残して同図１のように接着材などで予め折曲貼着しておく。
【００１５】
一方、前記出隅部２の外形に対応した一回り小さい形状に塩化ビニールシート素材などを射出成形または加熱軟化後冷却固化した図１のような三面一体折曲加工した出隅部表装用の折曲加工済立体シート４を用意し、この立体シート４の八つの各縁辺４Ａの中の六つの縁辺４Ａを前記貼着済表装シート３の切欠縁辺３Ａに図２のように対向させ、この立体シート４を前記出隅部２に同図２のように接着材などで貼着した後、これら貼着済立体シート４と表装シート３との図３のような縁辺間隙５内をホットメルト材による目地埋め材６や上記各シートと同材の棒状目地埋め材６で同図３のように面一または、ほぼ面一に目地埋めすることで、図２のように外見体裁良く建物内面を表装施工することができた。
【００１６】
また、本発明の他の実施形態例としては、図１のように床面１Ａや二つの内壁面１Ｂなどの三面が互いに奥に入り込んで接する入隅部７の外形に対応して切欠縁辺３Ａを予め形成した柔軟性表装シート３を上記入隅部７を残して前記各面に図１のように接着材などで予め折曲貼着した後、前記入隅部７の外形に対応した一回り小さい形状に三面折曲加工済の入隅部表装用の折曲加工済立体シート８の縁辺８Ａの四辺を前記貼着済表装シート３の切欠縁辺３Ａに図４のように対向させ、立体シート８を前記入隅部７に貼着した後、これら貼着済立体シート４と表装シート３との図５のような縁辺間隙５内をホットメルト材や上記各シートと同材の棒状などの目地埋め材６で面一または、ほぼ面一に目地埋めすることで、図４のように外見体裁良く建物内面を表装施工することができた。
【００１７】
なお、前記出隅部２や入隅部７にその外形に対応させて一体成形した隅部表装用の折曲加工済立体シート４・８を先に貼着した後、これら貼着済立体シートの各縁辺４Ａ・８Ａに表装シート３の切欠縁辺３Ａを対向させてこの表装シート３を前記三面に貼着し、これら貼着済表装シート３と各立体シート４・８との縁辺間隙５内を目地埋め材６で面一または、ほぼ面一に目地埋めしても、外見体裁良く建物内面を表装施工することができた。
【００１８】
さらに、本発明による建物内面の表装施工方法は、建物内面における前記床面１Ａと図６のような三面一体の突出壁１Ｃなどの四面が互いに接する出隅部２の外形に対応して切欠縁辺３Ａを予め形成した柔軟性表装シート３を上記出隅部２を残して前記各面に図６のように予め折曲貼着した後、前記四面が互いに接する出隅部２の外形に対応した横断面ほぼコ字状に四面一体折曲加工した出隅部表装用の折曲加工済立体シート４の各縁辺４Ａを前記貼着済表装シート３の切欠縁辺３Ａに対向させ、この立体シート４を前記出隅部２に図６のように貼着した後、これら貼着済立体シート４と表装シート３との縁辺間隙５内を目地埋め材６で前記のように面一または、ほぼ面一に目地埋めすることで、建物内の四面が互いに接する出隅部２付近を外見体裁良く建物内面を表装施工することもできる。
【実施例】
【００１９】
以下本発明による貼着済表装シート３と立体シート４との縁辺間隙５内を目地埋め材６で目地埋め仕上げする具体例を説明する。
前記目地埋め材６として加熱軟化性プラスチックなどのホットメルト材を用い、これを前記縁辺間隙内６に周知の加熱押し出し工具で加熱軟化させながら押し出して充填し、強制空冷または自然空冷して冷却固化させることで、縁辺間隙５内を図３および図５のように面一または、ほぼ面一に目地埋めして仕上げたり、上記ホットメルト材を固化状態で前記縁辺間隙５内に埋め込み配置し、弱火バーナーなどで加熱軟化した後、冷却固化させることで上記縁辺間隙５内を上記各図のように面一または、ほぼ面一に目地埋めして仕上げることができ、さらに、前記目地埋め材６として周知の流動性が少ない溶剤系接着材用い、この接着材を前記縁辺間隙５内に充填し、乾燥固化させることで縁辺間隙５内を面一または、ほぼ面一に目地埋めして表装仕上げすることもできた。
【産業上の利用可能性】
【００２０】
本発明による前記図２・図６のような出隅部や入隅部の表装施工の代わりに、上記各図の上下をそれぞれ全体的に反転し、建物床面１Ａを天井面と見做せば、建物天井面を含めた建物内の複数の面が互いに接する隅部を前記と同様に表装施工することもできる。
【図面の簡単な説明】
【００２１】
【図１】本発明による建物内面の表装施工途中の例を示す斜視図
【図２】本発明による表装施工状態の一例を示す斜視図
【図３】本発明による表装施工済状態の一例を示す平面図
【図４】本発明による表装施工状態の他の例を示す斜視図
【図５】本発明による表装施工済状態の他の例を示す平面図
【図６】本発明による表装施工済状態のさらに他の例を示す斜視図
【図７】従来の建物内面表装施工の途中の例を示す斜視図
【図８】従来の表装施工済状態の例を示す斜視図
【符号の説明】
【００２２】
１Ａ…建物床面（天井面）  １Ｂ…建物内壁面  １Ｃ…建物内の突出壁
２…出隅部
３…表装シート  ３Ａ…表装シートの切欠縁辺
４…出隅部表装用の折曲加工済立体シート  ４Ａ…立体シートの縁辺
５…各シートの縁辺間隙
６…目地埋め材
７…入隅部
８…入隅部表装用の折曲加工済立体シート  ８Ａ…立体シートの縁辺
９…従来例における平坦シート片  
【図１】
2005155059.tif 000003
【図２】
2005155059.tif 000004
【図３】
2005155059.tif 000005
【図４】
2005155059.tif 000006
【図５】
2005155059.tif 000007
【図６】
2005155059.tif 000008
【図７】
2005155059.tif 000009
【図８】
2005155059.tif 000010